(57)【要約】      （修正有）【課題】航空機などの輸送体での使用に特に適した、効率的且つ静かな手乾燥システム及び方法を提供する。【解決手段】導管１３２は、ブロワハウジング１３０を排気口１２２に連結している。排気口１２２は、洗面所の壁に連結されている。導管１３２は、ブロワハウジング１３０が洗面所から遠隔に位置付けられることを可能にする。例えば、ブロワハウジング１３０は、洗面所の壁の後ろ、床の下、又は天井の上に位置決めされ得る。ブロワハウジング１３０を洗面所から遠隔に位置付けることによって、手乾燥システム１２０によって生成された騒音が洗面所の中へ伝達されない。更に、防音材１５０と音響減衰バリア１５３及び１５６は、音波が排気口１２２に到達する前に音波を減衰させる。【選択図】図３
2018079302.tif 000002
【特許請求の範囲】
【請求項１】
洗面所（１００）のための手乾燥システム（１２０）であって、
空気室（１４０）内で気流を生成するように構成されたブロワを含むブロワハウジング（１３０）であって、前記ブロワが、磁気モータ（１４６）及び前記磁気モータと磁気的に連結されたプロペラ（１４４）を含む、ブロワハウジング、
前記洗面所に固定されるように構成された排気口（１２２）であって、空気出口を画定する、排気口、並びに
前記空気室（１４０）に流体連通した第１の端部と前記空気出口（１２４）に流体連通した第２の端部を有する導管（１３２）であって、前記洗面所から遠隔に前記ブロワハウジング（１３０）を位置付ける、導管を備える、手乾燥システム。
【請求項２】
前記ブロワハウジング（１３０）に連結された防音材（１５０）を更に備える、請求項１に記載の手乾燥システム。
【請求項３】
前記空気室（１４０）内に配置された音響減衰バリア（１５３）を更に備える、請求項１又は２に記載の手乾燥システム。
【請求項４】
前記導管内に配置された少なくとも１つの音響減衰バリア（１５６）を更に備える、請求項１から３のいずれか一項に記載の手乾燥システム。
【請求項５】
前記ブロワハウジング（１３０）又は前記導管（１３２）の一方又は両方の範囲内に配置された紫外線（ＵＶ）光アセンブリ（１５８）であって、前記気流が前記空気出口（１２４）を通過する前に、消毒用ＵＶ光を用いて前記気流を消毒するように構成された、ＵＶ光アセンブリを更に備える、請求項１から４のいずれか一項に記載の手乾燥システム。
【請求項６】
前記導管（１３２）内に配置された加熱コイル（１６０）であって、前記気流が前記空気出口（１２４）を通過する前に前記気流を加熱するように構成された、加熱コイルを更に備える、請求項１から５のいずれか一項に記載の手乾燥システム。
【請求項７】
起動区域内の手の存在を検出し存在信号を出力するように構成された、起動センサ（１２６）を更に備え、前記起動センサが前記起動区域内の前記手の前記存在を検出したときに、前記ブロワ（１４２）が起動されるように構成されている、請求項１から６のいずれか一項に記載の手乾燥システム。
【請求項８】
前記ブロワ（１４２）と通信し、且つ、前記ブロワの動作を制御するように構成された、ドライヤー制御ユニット（１７０）を更に備える、請求項１から７のいずれか一項に記載の手乾燥システム。
【請求項９】
洗面所のための手乾燥方法であって、
空気出口を有する排気口（１２２）を前記洗面所（１００）に固定すること、
導管（１３２）の第１の端部をブロワハウジング（１３０）の空気室に流体結合すること、
前記ブロワハウジング（１３０）に防音材（１５０）を連結すること、
前記空気室内に少なくとも１つの第１の音響減衰バリア（１５３）を配置すること、
前記導管（１３２）内に少なくとも１つの第２の音響減衰バリア（１５６）を配置すること、
前記導管（１３２）の第２の端部を前記排気口（１２２）の前記空気出口（１２４）に流体結合すること、
前記流体結合することによって前記洗面所から遠隔に前記ブロワハウジング（１３０）を位置付けること、及び
ブロワ（１４２）を用いて前記ブロワハウジング（１３０）の前記空気室（１４０）内で気流を生成することを含む、手乾燥方法。
【請求項１０】
前記ブロワ（１４２）の磁気モータにプロペラ（１４４）を磁気的に連結することを更に含む、請求項９に記載の手乾燥方法。
【請求項１１】
前記導管（１３２）内に紫外線（ＵＶ）光アセンブリ（１５８）を配置すること、
前記気流が前記空気出口（１２４）を通過する前に、消毒用ＵＶ光を前記気流の中へ放射すること、及び
前記放射することによって前記気流を消毒することを更に含み、
前記導管内に前記ＵＶ光アセンブリを配置することが、前記導管（１３２）の前記第２の端部の近くに前記ＵＶ光アセンブリ（１５８）を位置決めすることを含む、請求項９又は１０に記載の手乾燥方法。
【請求項１２】
前記導管（１３２）内に加熱コイル（１６０）を配置すること、及び
前記加熱コイル（１６０）を使用して、前記気流が前記空気出口（１２４）を通過する前に、前記気流を加熱することを更に含む、請求項９から１１のいずれか一項に記載の手乾燥方法。
【請求項１３】
ドライヤー制御ユニット（１７０）を前記ブロワ（１４２）と動作可能に接続すること、及び
前記ドライヤー制御ユニットを使用して、前記ブロワの動作を制御することを更に含む、請求項９から１２のいずれか一項に記載の手乾燥方法。
【請求項１４】
内部客室（６３０）と、
前記内部客室内の洗面所（１００）であって、内部空間を画定する、洗面所と、
前記洗面所のための手乾燥システム（１２０）とを備える、輸送体であって、前記手乾燥システムが、
空気室（１４０）内で気流を生成するように構成されたブロワ（１４２）を含むブロワハウジング（１３０）であって、前記ブロワ（１４２）が、磁気モータ（１４６）及び前記磁気モータと磁気的に連結されたプロペラ（１４４）を含む、ブロワハウジング、
前記洗面所に固定された排気口（１２２）であって、前記洗面所の前記内部空間に流体連通した空気出口（１２４）を画定する、排気口、
前記空気室（１４０）に流体連通した第１の端部と前記空気出口（１２４）に流体連通した第２の端部を有する導管（１３２）であって、前記洗面所の前記内部空間から遠隔に前記ブロワハウジング（１３０）を位置付ける、導管（１３２）、
前記ブロワハウジング（１３０）に連結された防音材（１５０）、
前記空気室内に配置された少なくとも１つの第１の音響減衰バリア（１５３）、
前記導管（１３２）内に配置された少なくとも１つの第２の音響減衰バリア（１５６）を備え、
前記防音材（１５０）、前記少なくとも１つの第１の音響減衰バリア（１５３）、及び前記少なくとも１つの第２の音響減衰バリア（１５６）が、前記ブロワ（１４２）によって生成された騒音を低減させ、
前記手乾燥システムが、更に、
前記導管（１３２）内に配置された加熱コイル（１６０）であって、前記気流が前記空気出口（１２４）を通過して前記洗面所の前記内部空間の中へ入る前に前記気流を加熱するように構成され、前記導管（１３２）の前記第２の端部の近くに位置決めされた、加熱コイル、
起動区域内の手の存在を検出し存在信号を出力するように構成された起動センサ（１２６）であって、前記起動センサが前記起動区域内の前記手の前記存在を検出したときに、前記ブロワ（１４２）が起動されるように構成された、起動センサ、並びに
前記ブロワ（１４２）、前記加熱コイル、及び前記起動センサと通信するドライヤー制御ユニット（１７０）であって、前記手乾燥システム（１２０）の動作を制御するように構成された、ドライヤー制御ユニットを備える、輸送体。
【請求項１５】
前記手乾燥システム（１２０）が、前記ブロワハウジング（１３０）又は前記導管（１３２）の一方又は両方の範囲内に配置された紫外線（ＵＶ）光アセンブリ（１５８）であって、前記気流が前記空気出口（１２４）を通過して前記洗面所の前記内部空間の中へ入る前に、消毒用ＵＶ光を用いて前記気流を消毒するように構成された、ＵＶ光アセンブリ（１５８）を更に備える、請求項１４に記載の輸送体。
【発明の詳細な説明】
【技術分野】
【０００１】
本開示の実施例は、広くは、手乾燥システム及び方法に関し、特に、輸送体、特に、民間航空機に搭載された洗面所内での使用に特に適した、効率的且つ静かな手乾燥システム及び方法に関する。
【背景技術】
【０００２】
民間航空機は、様々な場所の間で乗客を輸送するために使用される。通常の民間航空機は、内部客室内に１以上の洗面所を含む。
【０００３】
航空機に搭載される通常の洗面所は、それによって個々人が彼らの手を洗うところの流し台及び蛇口を含む。洗った後に手を乾燥させ得るように、ペーパータオルが提供されている。使用されたペーパータオルはごみ容器の中へ捨てられ、そのようにして、大量の廃棄物が生み出される。更に、少なくとも一部の使用されたペーパータオルは、洗面所内で不注意にも床の上に落とされ、流し台の上に残されるなどし得る。
【０００４】
既知の購入可能なハンドドライヤーは、概して大き過ぎ、嵩張り、及び、航空機に搭載された狭い洗面所内での使用において騒々しい。更に、そのようなハンドドライヤーは、比較的大きな量の電力を引き出す。
【発明の概要】
【０００５】
航空機に搭載された洗面所内で使用され得る効率的な手乾燥システム及び方法が必要である。廃棄物をほとんど又は全く生み出さない静かで衛生的な手乾燥システム及び方法が必要である。
【０００６】
それらの必要性を考慮して、本開示の特定の実施例は、洗面所用の手乾燥システムを提供する。手乾燥システムは、空気室内で気流を生成するように構成されたブロワを含むブロワハウジングを含む。排気口が、洗面所に固定されるように構成されている。排気口は、空気出口を画定する。導管が、空気室に流体連通した第１の端部と空気出口に流体連通した第２の端部を含む。導管は、洗面所から遠隔にブロワハウジングを位置付ける。
【０００７】
防音材が、ブロワハウジングに連結され得る。音響減衰バリアが、空気室内に配置され得る。音響減衰バリアが、導管内に配置され得る。
【０００８】
少なくとも１つの実施例では、ブロワが、磁気モータ、及び磁気モータと磁気的に連結されたプロペラを含む。
【０００９】
手乾燥システムは、ブロワハウジング及び／又は導管内に配置された紫外線（ＵＶ）光アセンブリを含み得る。ＵＶ光アセンブリは、気流が空気出口を通過する前に、消毒用ＵＶ光を用いて気流を消毒するように構成されている。ＵＶ光アセンブリは、導管の第２の端部の近くに位置決めされ得る。
【００１０】
手乾燥システムは、導管内に配置された加熱コイルを含み得る。加熱コイルは、気流が空気出口を通過する前に、気流を加熱するように構成されている。加熱コイルは、導管の第２の端部の近くに位置決めされ得る。
【００１１】
手乾燥システムは、起動区域内の手の存在を検出し存在信号を出力するように構成された起動センサを含み得る。ブロワは、起動センサが起動区域内の手の存在を検出したときに起動されるように構成され得る。
【００１２】
ドライヤー制御ユニットが、ブロワなどの手乾燥システムの様々な構成要素と通信し得る。例えば、ドライヤー制御ユニットは、ブロワの動作を制御するように構成されている。
【００１３】
本開示の特定の実施例は、洗面所のための手乾燥方法を提供する。手乾燥方法は、空気出口を有する排気口を洗面所に固定すること、導管の第１の端部をブロワハウジングの空気室に流体結合すること、導管の第２の端部を排気口の空気出口に流体結合すること、流体結合することによって洗面所から遠隔にブロワハウジングを位置付けること、及びブロワを用いてブロワハウジングの空気室内で気流を生成することを含む。
【００１４】
手乾燥方法は、防音材をブロワハウジングに連結すること、空気室内に少なくとも１つの第１の音響減衰バリアを配置すること、及び導管内に少なくとも１つの第２の音響減衰バリアを配置することも含み得る。
【００１５】
手乾燥方法は、導管内に紫外線（ＵＶ）光アセンブリを配置すること、気流が空気出口を通過する前に消毒用ＵＶ光を気流の中へ放射すること、及び放射することによって気流を消毒することを含み得る。
【００１６】
手乾燥方法は、導管内に加熱コイルを配置すること、及び加熱コイルを使用して気流が空気出口を通過する前に気流を加熱することを含み得る。
【００１７】
本開示の特定の実施例は、内部客室、内部客室内の洗面所、及び洗面所のための手乾燥システムを含む、輸送体を提供する。
【図面の簡単な説明】
【００１８】
【図１】本開示の一実施例による、洗面所の内部斜視図を示す。
【図２】本開示の一実施例による、洗面所の壁内に取り付けられた手乾燥システムの排気口の前面斜視図を示す。
【図３】本開示の一実施例による、手乾燥システムの概略図を示す。
【図４】本開示の一実施例による、手乾燥システムを操作する方法のフローチャートである。
【図５】本開示の一実施例による、航空機の上面斜視図を示す。
【図６】本開示の一実施例による、航空機の内部客室の上面図を示す。
【図７】本開示の一実施例による、航空機の内部客室の上面図を示す。
【図８】本開示の一実施例による、手乾燥システムのネスト化された（nested）ブロック図を示す。
【発明を実施するための形態】
【００１９】
上記の概要、及び特定の実施例の以下の詳細な説明は、添付の図面を参照して読むことにより、より深く理解される。本明細書で使用される「一（ａ）」又は「１つの（ａｎ）」に続く単数形の要素又はステップは、複数の当該要素又はステップを必ずしも除外しないものと理解されたい。更に、「一実施例」への言及は、追加の実施例の存在を除外すると解釈されることを意図せず、それら追加の実施例もまた、本明細書に記載の特徴を内包する。更に、逆に明示的に記述されない限り、特定の性質を有する１以上の要素を「備える」、「含む」、又は「有する」実施例は、その性質を有しない追加の要素を含み得る。
【００２０】
本開示の実施例は、航空機に搭載された洗面所内などで使用され得る、効率的で、静かで、衛生的な手乾燥システム及び方法を提供する。手乾燥システム及び方法は、通常のハンドドライヤーよりも実質的に少ない騒音を生成し、（通常のハンドドライヤーと比較して）低いレベルの電力を引き出す。手乾燥システム及び方法は、効率的なブロワを利用する。ブロワは、磁気モータに磁気的に連結されたプロペラを含み得る。少なくとも１つの実施例では、ブロワが、高性能モータと動作可能に連結された、ラジコン（ＲＣ）航空機のために使用されるプロペラなどの、プロペラを含む。例えば、プロペラと動作可能に連結された磁気モータは、コンパクトで高効率のシステムを提供する。（加熱コイルなどの）加熱要素が、空気出口に近い空気経路内に配置され得る。洗面所内の空気出口から遠隔に位置付けられた音響的に絶縁されたハウジング内にブロワを配置することによって、生成される騒音が最小化されるか又はさもなければ低減される。例えば、ハウジングは、洗面所の壁の後ろに位置決めされ、１以上の空気ダクトを通じて空気出口に連結され得る。
【００２１】
少なくとも１つの実施例では、紫外線（ＵＶ）光アセンブリが、ハウジングと空気出口との間の空気経路内に配置されている。任意選択的に、ＵＶ光アセンブリが、ハウジング内に配置され得る。ＵＶ光アセンブリは、気流が空気出口を通過する前に、（遠ＵＶ光などの）ＵＶ光を気流の中へ放射するように構成されている。放射されたＵＶ光は、空気が空気出口を通過する前に空気を消毒する。少なくとも１つの実施例では、ＵＶ光アセンブリが、ハウジング及び／又はハウジングと空気出口との間の空気経路の内面を消毒するように構成されている。
【００２２】
図１は、本開示の一実施例による、洗面所１００の内部斜視図を示している。例えば、洗面所１００は、航空機に搭載され得る。任意選択的に、洗面所１００は、自動車、バス、機関車及び列車、船、船舶などの、様々な他の輸送体にも搭載され得る。他の実施例では、洗面所１００が、商業建物若しくは住居建物又は離れ家などの、固定された構造物内にあり得る。
【００２３】
洗面所１００は、便器１０４、キャビネット１０６、流し台１０８、及び蛇口１１０を支持する、床１０２を含む。洗面所１００は、床１０２と天井１１４を連結する壁１１２によって取り囲まれている。壁１１２のうちの１つを通って敷居１１６が形成され、敷居１１６は、（図１では示されていない）ドアを保持するように構成されている。ドアは、開いた位置と閉じた位置との間で移動可能である。
【００２４】
手乾燥システム１２０は、流し台１０８及び蛇口１１０の近くで、壁１１２のうちの１つに形成され又はさもなければ連結された空気出口１２４を画定する排気口１２２を含む。例えば、排気口１２２は、手が洗われる蛇口１１０と湿った手を乾燥させる排気口１２２との間の短い経路を提供するために、蛇口１１０の上方に取り付けられ、及び／又は蛇口１１０の側方に取り付けられ得る。排気口１２２の空気出口１２４は、洗面所１００の内部空間１２５と直接的に流体連通している。
【００２５】
起動センサ１２６が、空気出口１２４の下方などの、排気口１２２の近くに位置決めされている。起動センサ１２６は、１以上の有線接続を通じて（図３で示される電源１４８などの）電源に接続され得る。例えば、起動センサ１２６は、空気出口１２４の下方１〜３インチに位置決めされ得るが、起動センサ１２６は、空気出口１２４の下方１インチ未満又は３インチを超えても位置決めされ得る。少なくとも１つの実施例では、起動センサ１２６が、所定の起動区域１２９内（例えば、空気出口１２４の半径６インチ以下の範囲内）で、（個人の手などの）物体の存在を検出するように構成された赤外線センサである。起動区域１２９は、洗面所１００内の様々な位置であり得る。例えば、起動区域１２９は、排気口１２２の下方、排気口１２２の上方、排気口１２２の側方であり、又は洗面所１００内の別の構造物に位置決めされ得る。起動センサ１２６が、起動区域１２９内で手の存在を検出したときに、手乾燥システム１２０は、空気出口１２４から乾燥した空気の流れを排出するために起動される。手が、起動区域１２９から除去されたときに、起動センサ１２６は、起動区域内に手がないことを検出し、手乾燥システム１２０は起動解除される。少なくとも１つの他の実施例では、起動センサ１２６が、空間の容積内で物体の存在を検出するために使用される、超音波センサ又は他の種類のセンサであり得る。代替的に、起動センサの代わりに、手乾燥システム１２０が、所定の期間にわたり手乾燥システム１２０を起動させるために個人が押す起動ボタンを含み得る。
【００２６】
図２は、本開示の一実施例による、洗面所１００の壁１１２に取り付けられた手乾燥システム１２０の排気口１２２の前面斜視図を示している。示されているように、起動センサ１２６は、排気口１２２の下方（１〜３インチの間など）の短い距離に固定され得る。起動センサ１２６は、起動区域１２９を画定する所定の距離にわたり、（赤外線光などの）放出物を出力する。手が起動区域の中へ移動されると、手乾燥システム１２０が起動され、それによって、排気口１２２の空気出口１２４から乾燥した空気の流れが排出される。手が起動区域１２９から除去された後で、手乾燥システム１２０は起動解除される。
【００２７】
図３は、本開示の一実施例による、手乾燥システム１２０の概略図を示している。手乾燥システム１２０は、１以上のチューブ、パイプ、ダクト、プレナムなどの、気流導管１３２を通じて排気口１２２に連結された、ブロワハウジング１３０を含む。
【００２８】
ブロワハウジングは、気流１４６（すなわち、空気室１４０から導管１３２を通って、空気出口１２４に向けて及び空気出口１２４から出るように移動する空気の流れ）を生成するように構成されたブロワ１４２を含む。排気口１２２は、洗面所の壁１１２などの、（図１で示された）洗面所１００に固定されるように構成されている。排気口１２２は、空気出口１２４を画定する。導管１３２は、空気室１４０に流体連通した第１の端部１３７と排気口１２２の空気出口１２４に流体連通した第２の端部１３９を有する。
【００２９】
ブロワハウジング１３０は、直立した支持壁１３８によって上壁１３６に連結された基部１３４を含む。空気室１４０は、基部１３４、上壁１３６、及び支持壁１３８の間で画定されている。ブロワ１４２は、ブロワハウジング１３０の一部分と、固定されるように取り付けられている。例えば、ブロワ１４２は、支持壁１３８、基部１３４、及び／又は上壁１３６と、固定されるように取り付けられ得る。ブロワ１４２は、モータ１４６と動作可能に連結されたファン１４４を含む。少なくとも１つの実施例では、ファン１４４が、ＲＣ航空機のプロペラなどのプロペラであり、又はさもなければプロペラを含む。少なくとも１つの実施例では、モータ１４６が、ファン１４４の上又はファン１４４の範囲内の磁気材料と磁気的に連結された１以上の永久磁石を含む、直流の磁気モータである。モータ１４６と磁気的に連結されたＲＣ航空機のプロペラの形態を採るファン１４４は、実質的に通常の自動ハンドドライヤー未満の電力を引き出す、（９０％の効率を超える）高エネルギー効率の及び（従来のハンドドライヤーと比較して）静かなブロワ１４２を提供することが分かってきた。モータ１４６の磁石が回転すると、磁気的な連結は、ファン１４４が回転し、それによって、空気室１４０内で気流が生成されることをもたらす。代替的に、ファン１４４は、ＲＣプロペラの代わりに、翼、ホイールなどを有する他の種類の回転ファンであり又は回転ファンを含み得る。更に、代替的に、モータ１４６は、例えば、１以上の機械的リンクを通じてファンと動作可能に連結された、（電磁モータなどの）別の種類のアクチュエータであり得る。
【００３０】
モータ１４６は、１以上の有線接続などを通じて、電源１４８に接続されている。少なくとも１つの実施例では、電源１４８が、１以上のバッテリなどの直流（ＤＣ）電源である。任意選択的に、電源１４８は、航空機内などの、別のＤＣ電源であり、又は（標準的なＡＣ電源に接続された壁コンセントなどの）交流（ＡＣ）電源であり得る。
【００３１】
防音材１５０が、ブロワハウジング１３０に連結され得る（例えば、その上に又はその中に取り付けられる、その範囲内に埋め込まれるなど）。例えば、防音材１５０は、基部１３４、上壁１３６、及び支持壁１３８の上又は下に取り付けられ、その範囲内に埋め込まれ、一列に並べられ、又はさもなければ連結され得る。防音材は、閉じたセル又は開いたセルの音響的なフォーム（acoustic foam）などの、音響的なフォームであり得る。更に、音響減衰バリア１５３が、空気室１４０内に取り付けられ得る。音響減衰バリア１５３は、防音材１５０と同じ材料から形成され得る。音響減衰バリア１５３は、空気室１４０を通って延在し導管１３２の内部空気チャネル１５５に連結された、気流経路１５４内に配置されている。例えば、音響減衰バリア１５３は、音響エネルギーを減衰させ且つ音波を導管１３２内に固定された別の音響減衰バリア１５６に向けて反射するように角度が付けられている。減衰バリア１５３の角度は、示されているものよりも大きくても又は小さくてもよい。少なくとも１つの他の実施例では、ブロワハウジング１３０及び／又は導管１３２の１以上の内面に沿って、防音材が並べられていてもよい。
【００３２】
導管１３２は、１以上の可撓性チューブ、パイプ、プレナムなどから形成され得る。示されているように、導管１３２は、直角などで第２のセグメント１３５に連結されている第１のセグメント１３３を含む。任意選択的に、第１のセグメント１３３は、様々な他の角度、弓状の曲げなどにおいて第２のセグメント１３５に連結され得る。音響減衰バリア１５６は、第１のセグメント１３３と第２のセグメント１３５の接合部において配置されている。導管１３２は、更なるセグメントを含み得る。少なくとも１つの他の実施例では、導管１３２が、排気口１２２にブロワハウジング１３０を連結する、単一の直線的なセグメントを含み得る。
【００３３】
図１及び図３を参照すると、導管１３２は、ブロワハウジング１３０を排気口１２２に連結している。排気口１２２は、洗面所１００の壁１１２に連結されている。導管１３２は、ブロワハウジング１３０が、洗面所１００から遠隔に位置付けられることを可能にする。例えば、ブロワハウジング１３０は、洗面所１００の壁１１２の後ろ、床１０２の下、又は天井１１４の上に位置決めされ得る。少なくとも１つの実施例では、ブロワハウジング１３０が、洗面所１００の如何なる部分にも接触していない。ブロワハウジング１３０を洗面所１００から遠隔に位置付けることによって、手乾燥システム１２０によって生成された騒音が洗面所１００の中へ伝達されない。更に、防音材１５０と音響減衰バリア１５３及び１５６は、音波が排気口１２２に到達する前に音波を減衰させる（例えば、吸収する）。
【００３４】
ＵＶ光アセンブリ１５８は、排気口１２２の近くの導管１３２内に固定されている。ＵＶ光アセンブリ１５８は、１以上の有線接続などを通じて、電源１４８に接続されている。ＵＶ光アセンブリ１５８は、導管１３２を通って排気口１２２に向けて流れる気流の中へ消毒用ＵＶ光を放射するように構成されている。そのようにして、気流は、空気出口１２４を通って排出される前に消毒用ＵＶ光によって消毒される。示されているように、ＵＶ光アセンブリ１５８は、導管１３２内にある。したがって、放射されたＵＶ光は、空気出口１２４から出ていくことはないだろう。このやり方で、（図１及び図２で示された）洗面所１００内の個人は、概して、ＵＶ光アセンブリ１５８又は生成された消毒用ＵＶ光を見ることはない。この構成では、個人が、放射された消毒用ＵＶ光に直接的に晒されることはない。任意選択的に、ＵＶ光アセンブリ１５８は、ブロワ囲い１３０内及び／又は導管１３２の端部１３７の近くに配置され得る。少なくとも１つの他の実施例では、手乾燥システム１２０が、複数のＵＶ光アセンブリ１５８を含み得る。
【００３５】
少なくとも１つの実施例では、消毒用ＵＶ光が遠ＵＶ光である。代替的に、消毒用ＵＶ光は、ＵＶＡ光、ＵＶＢ光、ＵＶＣ光、真空ＵＶ光などであり得る。少なくとも１つの実施例では、ＵＶ光アセンブリ１５８が、消毒用ＵＶ光を放射するように構成された、空気ランプ、発光ダイオード（ＬＥＤ）、フィラメント、光ファイバーなどの、１以上のＵＶ光要素を含む。少なくとも１つの実施例では、ＵＶ光要素が、異なるＵＶバンド（例えば、異なる波長及び異なる周波数）を有するＵＶ光を放射するように構成され得る。例えば、１つのＵＶ光要素は、遠ＵＶ光を放射するように構成され、一方、別の１つのＵＶ光要素は、ＵＶＣ光を放射するように構成され得る。代替的に、手乾燥システム１２０は、ＵＶ光アセンブリ１５８を含まなくてもよい。
【００３６】
加熱コイル１６０が、排気口１２２の近くの導管１３２内に配置され、１以上の有線接続などを通じて電源１４８に接続されている。示されているように、加熱コイル１６０は、ＵＶ光アセンブリ１５８と排気口１２２との間の導管１３２内に配置され得る。加熱コイル１６０を排気口の近くに位置決めすることによって、導管１３２を通って流れる気流が、空気出口１２４から出ていく直前に加熱される。このやり方では、加熱コイル１６０がブロワハウジング１３０の近くに配置された場合と比較して、空気出口１２４を出ていく気流が暖かいことが保証される。代替的に、加熱コイル１６０は、ブロワハウジング１３０の近くの導管１３２内に位置決めされ得る。少なくとも１つの他の実施例では、加熱コイル１６０が、ブロワハウジング１３０内に配置され得る。任意選択的に、手乾燥システム１２０は、導管１３２及び／又はブロワハウジング１３０内に配置された複数の加熱コイルを含み得る。代替的に、手乾燥システム１２０は、加熱コイル１６０を含まなくてもよい。
【００３７】
ドライヤー制御ユニット１７０が、１以上の有線又は無線接続などを通じて、モータ１４６、ＵＶ光アセンブリ１５８、加熱コイル１６０、及び起動センサ１２６と通信する。ドライヤー制御ユニット１７０は、１以上の有線接続などを通じて、電源１４８にも接続され、又は任意選択的に個別の電源を含み得る。ドライヤー制御ユニット１７０は、（ブロワハウジング１３０などの）手乾燥システム１２０の一部分に取り付けられ、又は手乾燥システム１２０の他の構成要素から遠隔に位置付けられ得る。ドライヤー制御ユニット１７０は、電源１４８に接続され、又は別の電源によって電力供給され得る。ドライヤー制御ユニット１７０は、手乾燥システム１２０の動作を制御するように構成されている。
【００３８】
図１〜図３を参照すると、動作では、個々人が彼らの手を乾燥させるために、個々人は、彼らの手を起動センサ１２６の起動区域１２９内に位置決めする。（１以上の）手が起動区域１２９内に位置決めされると、起動センサ１２６が、（赤外線放射などを通じて）それらの存在を検出し、ドライヤー制御ユニット１７０へ存在信号を放射する。起動センサ１２６から存在信号を受信すると、ドライヤー制御ユニット１７０はモータ１４６を起動する。モータ１４６は、ファン１４４を回転させ、それによって、空気室１４０内で気流１４６を生成する。
【００３９】
ブロワ１４２によって生成された騒音は、ブロワハウジング１３０に連結された防音材１５０によって低減される（例えば、減衰される）。更に、空気室１４２内でブロワ１４２によって生成された騒音は、音響減衰バリア１５３に向かって伝播する音波１８０として放射される。音波の音響エネルギー１８０は、音響減衰バリア１５３によって更に減衰される。残りの音響エネルギー１８２は、音響減衰バリア１５３によって、音響減衰バリア１５６へ向けて反射され得る。音響減衰バリア１５３は、残りの音響エネルギー１８２が音響減衰バリア１５６に向けて反射されるように、空気室１４０内で角度が付けられている（例えば、入射角が反射角に等しい）。残りの音響エネルギー１８２は、音響減衰バリア１５６に向けて直線的に反射されるので、導管１３２は、防音材で完全に絶縁される必要がない。代わりに、音響減衰バリア１５６は、第１のセグメント１３３と第２のセグメント１３５との接合部に配置され、それによって、残りの音響エネルギー１８２を減衰させ（例えば、吸収し）、ブロワ１４２によって生成された任意の騒音が実質的に減衰され又はさもなければ低減されることを確実にする。代替的に、更なる防音材が、導管１３２に連結され得る。ブロワハウジング１３０は、導管１３２によって洗面所１００から離れて配置されているので、ブロワ１４２によって生成された任意の騒音は、ブロワハウジング１４０と洗面所１００との間の距離、並びに防音材１５０及び音響減衰バリア１５３と１５６のおかげで、洗面所１００に到達する前に減衰される。
【００４０】
気流１４６が、導管１３２を通過すると、ドライヤー制御ユニット１７０が、ＵＶ光アセンブリ１５８を起動し、気流１４６が空気出口１２４から排出されて（１以上の）手に届く前に、流れている空気を消毒する。このやり方では、気流１４６が、乾燥されている（１以上の）手に至る前に消毒される。
【００４１】
更に、ドライヤー制御ユニット１７０は、加熱コイル１６０を操作して、気流１４６が空気出口１２４から排出される前に気流１４６を加熱する。したがって、気流１４６は、乾燥されている（１以上の）手に至る前に加熱され、それによって、乾燥の効率を高める。
【００４２】
（１以上の）手が起動区域１２９から除去された後で、起動センサ１２６は、起動区域１２９内に何もないことを検出し、ドライヤー制御ユニット１７０へ対応する存在信号を送信する。起動センサ１２６から起動区域１２９内に何もないことを示す存在信号を受信すると、ドライヤー制御ユニット１７０は、モータ１４６を起動解除し、それによって、ファン１４４の回転を止め、ＵＶ光アセンブリ１５８と加熱コイル１６０を起動解除する。
【００４３】
上述されたように、手乾燥システム１２０は、ブロワ１４２を音響的に絶縁されたハウジング１３０内に位置決めすることによって、及び、（洗面所１００の壁の後ろなどの）洗面所１００から遠隔に位置付けることによって、ブロワ１４２によって生成された騒音を低減させる。音響減衰バリア１５６は、導管１３２の直角曲がり部内に位置決めされ、残りの音響的エネルギー１８２を減衰させる。少なくとも１つの実施例では、ファン１４４が、モータ１４６に連結された高効率のＲＣ航空機のプロペラであり、モータ１４６は、永久磁石モータであり、通常の自動ハンドドライヤーよりも実質的に少ない騒音を生成し得る。手乾燥システム１２０は、ＵＶ光アセンブリ１５６の使用を通じて高められた消毒も提供し、ＵＶ光アセンブリ１５６は、気流１４６が空気出口１２４から排出される前に気流１４６を消毒し、手乾燥システム１２０は、ドライヤー制御ユニット１７０と通信する起動センサ１２６を介してタッチレスな動作も提供する。
【００４４】
本明細書で使用される際に、「制御ユニット」、「中央処理装置」、「ＣＰＵ」などという用語は、マイクロコントローラ、縮小指示命令セットコンピュータ（ＲＩＳＣ）、特定用途向け集積回路（ＡＳＩＣ）、論理回路、及び、本明細書で説明される機能を実行することが可能なハードウェア、ソフトウェア、又はそれらの組み合わせを含む任意の他の回路又はプロセッサを使用するシステムを含む、任意のプロセッサベース又はマイクロプロセッサベースのシステムを含み得る。上述したものは例示的なものに過ぎず、したがって、そのような用語の定義及び／又は意味を何らかのやり方で限定することを意図していない。例えば、上述のように、ドライヤー制御ユニット１７０は、手乾燥システム１２０の動作を制御するように構成された、１以上のプロセッサであり又はそれらを含み得る。
【００４５】
ドライヤー制御ユニット１７０は、データを処理するために、（１以上のメモリなどの）１以上のデータ記憶ユニット又は素子内に記憶された、一組の指示命令を実行するように構成されている。例えば、ドライヤー制御ユニット１７０は、１以上のメモリを含み得るか、又は１以上のメモリに接続され得る。データ記憶ユニットは、所望又は必要に応じて、データ又は他の情報も記憶し得る。データ記憶ユニットは、情報ソース、又は処理マシン内の物理メモリ要素という形態を採り得る。
【００４６】
一組の指示命令は、ドライヤー制御ユニット１７０が、処理マシンとして、本明細書で説明される主題の様々な実施例の方法及びプロセスなどの、特定の動作を実行するように指示命令する、様々なコマンドを含み得る。一組の指示命令は、ソフトウェアプログラムの形態を採ってもよい。ソフトウェアは、システムソフトウェア又はアプリケーションソフトウェアなどの様々な形態を採り得る。更に、ソフトウェアは、分離したプログラムの集合、より大きなプログラム内のプログラムサブセット、又はプログラムの一部分の形態を採り得る。ソフトウェアは、オブジェクト指向プログラミングの形態を採るモジュラープログラミングも含み得る。処理マシンによる入力データの処理は、ユーザのコマンドに応じ、又は、従前の処理の結果に応じ、又は、別の処理マシンによってなされた要求に応ずるものであり得る。
【００４７】
本明細書の実施例の図面は、ドライヤー制御ユニット１７０などの１以上の制御又は処理ユニットを示し得る。処理又は制御装置が、本明細書に記載の動作を実行する（例えば、コンピュータハードドライブ、ＲＯＭ、ＲＡＭなどの、有形且つ非一過性のコンピュータ可読記憶媒体に記憶されたソフトウェアなど）、関連する指令を含むハードウェアとして実装され得る回路、又はその一部を表していることを理解されたい。ハードウェアは、本明細書に記載の機能を実行するようハードワイヤードされたステートマシン回路を含み得る。任意選択的に、ハードウェアが、マイクロプロセッサ、プロセッサ、コントローラなどの１以上の論理ベースのデバイスを含み、且つ／又はそれらに接続された電子回路を含んでもよい。任意選択的に、ドライヤー制御ユニット１７０は、フィールドプログラマブルゲートアレイ（ＦＰＧＡ）、特定用途向け集積回路（ＡＳＩＣ）、（１以上の）マイクロプロセッサなどのうちの１以上などの処理回路を表し得る。様々な実施例内の回路は、本明細書で説明される機能を実施するために、１以上のアルゴリズムを実行するように構成されてもよい。そのような１以上のアルゴリズムは、フローチャート又は方法において明示的に特定されているか否かに関わらず、本明細書に記載の実施例の諸態様を含み得る。
【００４８】
本明細書で使用される際に、「ソフトウェア」及び「ファームウェア」という用語は、置き換え可能であり、ＲＡＭメモリ、ＲＯＭメモリ、ＥＰＲＯＭメモリ、ＥＥＰＲＯＭメモリ、及び不揮発性ＲＡＭ（ＮＶＲＡＭ）メモリを含む、コンピュータによる実行のためのデータ記憶ユニット（例えば、１以上のメモリ）に記憶される任意のコンピュータプログラムを含む。上記のデータ記憶ユニットのタイプは例示的なものにすぎず、したがって、コンピュータプログラムを記憶するために使用することができるメモリのタイプを限定するものではない。
【００４９】
図４は、本開示の一実施例による、手乾燥システムを操作する方法のフローチャートである。図１〜図４を参照すると、該方法は、３００で始まり、ドライヤー制御ユニット１７０が、起動センサ１２６によって出力された存在信号を受信しモニタする。３０２では、ドライヤー制御ユニット１７０が、起動センサ１２６から受信した存在信号に基づいて、手が起動センサ１２６の起動区域内にあるか否かを判定する。手が起動区域内にないならば、ドライヤー制御ユニット１７０は、ブロワ１４２を起動することを控える（３０４）。その後、該方法は３００へ戻る。
【００５０】
しかし、ドライヤー制御ユニット１７０が、手が起動区域内にあると判定したならば、該方法は、３０２から３０６へ進み、ドライヤー制御ユニット１７０が、ブロワ１４２を起動して、空気室１４０及び導管１３２内で空気出口１２４に向けて気流１４６を生成する。３０８では、ドライヤー制御ユニット１７０が、ＵＶ光アセンブリ１５８を起動して、気流１４６が空気出口１２４を通過する前に気流１４６を消毒する。３１０では、ドライヤー制御ユニット１７０が、加熱コイル１６０を起動して、気流が空気出口１２４を通過する前に気流を加熱する。
【００５１】
３１２では、ドライヤー制御ユニット１７０が、起動センサ１２６によって出力された存在信号のモニタを継続する。３１４では、ドライヤー制御ユニット１７０が、起動センサ１２６から受信した存在信号に基づいて、（１以上の）手が未だ起動センサ１２６の起動区域内にあるか否かを判定する。（１以上の）手が未だ起動区域内にあるならば、該方法は、３１４から３１６へ進み、ドライヤー制御ユニット１７０が、ブロワ１４２、ＵＶ光アセンブリ１５８、及び加熱コイル１６０の操作を継続する。その後、該方法は３１４へ戻る。
【００５２】
しかし、３１４で手がもはや起動区域内にないと判定したならば、該方法は、３１８へ進み、ドライヤー制御ユニット１７０が、ブロワ１４２、ＵＶ光アセンブリ１５８、及び加熱コイル１６０の各々を起動解除する。その後、該方法は３００へ戻る。
【００５３】
図５は、本開示の一実施例による、航空機６００の上面斜視図を示している。航空機６００には、例えば、２つのターボファンエンジン６１４を含み得る推進システム６１２が含まれる。任意選択的に、推進システム６１２には、図示したものよりも更に多くのエンジン６１４が含まれ得る。エンジン６１４は、航空機６００の翼６１６によって担持される。他の実施例では、エンジン６１４が、胴体６１８及び／又は尾部６２０によって担持され得る。尾部６２０は、水平尾翼６２２と垂直尾翼６２４も支持し得る。
【００５４】
航空機６００の胴体６１８が内部客室を画定し、内部客室は、操縦室、１以上の作業セクション（例えば、調理室、乗務員の手荷物領域など）、１以上の乗客セクション（例えば、ファーストクラス、ビジネスクラス、及びエコノミークラス）、及び後方セクションを含み得る。各セクションは、１以上のクラス仕切りアセンブリを含み得る客室移行領域によって分離され得る。頭上荷物箱アセンブリは、内部客室全体に位置決めされ得る。内部客室は、（図１及び図２で示された）洗面所１００を含む。（図１〜図３で示された）手乾燥システム１２０は、各洗面所１００内に配置されている。
【００５５】
代替的に、航空機の代わりに、本開示の実施例が、自動車、バス、レクリエーショナルビークル、機関車及び列車、船、船舶などの、様々な他の輸送体で使用されてもよい。更に、本開示の実施例は、商業建物及び住居建物などの、固定された構造物に関して使用されてもよい。
【００５６】
図６は、本開示の一実施例による、航空機の内部客室の上面図を示している。内部客室６３０は、航空機の胴体６３２内にあり得る。例えば、１以上の胴体壁により、内部客室６３０が画定され得る。内部客室６３０には、前方セクション６３３、ファーストクラスセクション６３４（又はファーストクラススイート、客室など）、ビジネスクラスセクション６３６、前方調理室ステーション６３８、拡張されたエコノミーすなわちコーチセクション６４０、標準のエコノミーすなわちコーチセクション６４２、及び後方セクション６４４を含む、複数のセクションが含まれ得る。それらの各々は、複数の洗面所１００を含み、上述されたように、複数の洗面所１００の各々は、（図１〜図３で示された）手乾燥システム１２０を含み得る。内部客室６３０は、図示したものよりも多くの又は少ないセクションを含み得ると理解すべきである。例えば、内部客室６３０には、ファーストクラスセクションが含まれなくてもよく、図示したものよりも更に多くの又は少ない調理室ステーションが含まれてもよい。複数のセクションの各々は、通路６４８の間にクラス仕切りアセンブリを含み得る、客室移行領域６４６によって分離され得る。
【００５７】
図６で示されるように、内部客室６３０は、後方セクション６４４につながっている２つの通路６５０及び６５２を含む。任意選択的に、内部客室６３０は、図示したものよりも少ない又は多い通路を有し得る。例えば、内部客室６３０には、後方セクション６４４につながっている内部客室６３０の中央を通って延在する単一の通路が含まれ得る。
【００５８】
図７は、本開示の一実施例による、航空機の内部客室の上面図を示している。内部客室６８０は、航空機の胴体６８１内に含まれ得る。例えば、１以上の胴体壁により、内部客室６８０が画定され得る。内部客室６８０は、乗客席６３８を有する主要な客室６８２、及び主要な客室６８２の後ろの後方セクション６８５を含む、複数のセクションを含む。内部客室６８０は、図示したものよりも多くの又は少ないセクションを含み得ると理解すべきである。
【００５９】
内部客室６８０には、後方セクション６８５につながる単一の通路６８４が含まれ得る。単一の通路６８４は、後方セクション６８５につながる内部客室６８０の中央を通って延在し得る。例えば、単一の通路６８４は、内部客室６８０の中央縦断面の同軸上に位置合わせされ得る。
【００６０】
１以上の洗面所１００が、内部客室６８０内に配置され得る。上述されたように、各洗面所１００は、（図１〜図３で示された）手乾燥システム１２０を含み得る。
【００６１】
図８は、本開示の一実施例による、手乾燥システム１２０のネスト化されたブロック図を示している。手乾燥システム１２０は、（図６で示された）内部客室６３０又は（図７で示された）内部客室６８０内の洗面所の何れかなどの、洗面所１００内で使用され得る。手乾燥システム１２０は、ブロワハウジング１３０を含む。ブロワハウジング１３０は、空気室１４０内で気流を生成するブロワ１４２を含む。少なくとも１つの実施例では、ブロワ１４２が、磁気モータなどのモータ１４６、及び磁気モータに磁気的に連結されたプロペラなどのファン１４４を含む。
【００６２】
例えば、排気口１２２は、洗面所の内部空間に流体連通し得る空気出口１２４を画定する。
【００６３】
導管１３２が、空気室１４０と空気出口１２４とに流体連通している。導管１３２は、洗面所の内部空間から遠隔にブロワハウジング１３０を位置付ける。
【００６４】
防音材１５０が、ブロワハウジング１３０に連結され得る。少なくとも１つの音響減衰バリア１５３が、空気室１４０内に配置され得る。少なくとも１つの音響減衰バリア１５６が、導管１３２内に配置され得る。音響絶縁材１５０及び音響減衰バリア１５３と１５６は、ブロワ１４２によって生成された騒音を低減させる。
【００６５】
加熱コイル１６０が、導管１３２内に配置され得る。加熱コイル１６０は、気流が空気出口１２４を通過して洗面所の内部空間の中に入る前に、気流を加熱するように構成されている。
【００６６】
起動センサ１２６が、起動区域内の手の存在を検出し、ドライヤー制御ユニット１７０へ入力される存在信号を出力するように構成されている。すなわち、ドライヤー制御ユニット１７０は、存在信号を受信する。ブロワ１４２は、起動センサ１２６が起動区域内の手の存在を検出したときに、起動されるように構成されている。例えば、存在信号を受信したことに応じて、ドライヤー制御ユニットがブロワ１４２を起動する。
【００６７】
ドライヤー制御ユニット１７０は、ブロワ１４２、加熱コイル１６０、及び起動センサ１２６と通信する。ドライヤー制御ユニット１７０は、手乾燥システム１２０の動作を制御するように構成されている。
【００６８】
少なくとも１つの実施例では、手乾燥システム１２０が、ブロワハウジング１３０及び／又は導管１３２内に配置された紫外線（ＵＶ）光アセンブリ１５８を含む。ＵＶ光アセンブリ１５８は、気流が空気出口１２４を通過する前に、消毒用ＵＶ光を用いて気流を消毒する。
【００６９】
図１〜図８を参照すると、本開示の実施例は、航空機に搭載された洗面所内での使用に特に良く適した、効率的な手乾燥システム及び方法を提供する。本開示の実施例は、廃棄物をほとんど又は全く生成しない静かで衛生的な手乾燥システム及び方法を提供する。
【００７０】
本開示の実施例の説明のために、上部、底部、下方、中央、横方向、水平、垂直、前方などの空間及び方向に関する様々な語が用いられているが、そのような語は図面で示す方向に対するものとして用いられているにすぎないことを理解されたい。向きを、反転させる、回転させる、又はそうでなければ、上部が下部に、また下部が上部になるように、また水平が垂直になるように変化させることができる。
【００７１】
本明細書で使用する、作業又は工程を実施する「ように構成される」構造、限定事項、又は要素は、特に作業又は工程に対応する方法で構造的に形成、構成、又は適合されている。明確さのため、及び誤解を避けるために、作業又は工程を実施するために変更可能であるに過ぎない対象物は、本明細書で使用する作業又は工程を実施する「ように構成」されてはいない。
【００７２】
更に、本開示は以下の条項による例を含む。
条項１
洗面所のための手乾燥システムであって、空気室内で気流を生成するように構成されたブロワを含むブロワハウジングであって、前記ブロワが、磁気モータ及び前記磁気モータと磁気的に連結されたプロペラを含む、ブロワハウジング、前記洗面所に固定されるように構成された排気口であって、空気出口を画定する、排気口、並びに前記空気室に流体連通した第１の端部と前記空気出口に流体連通した第２の端部を有する導管であって、前記洗面所から遠隔に前記ブロワハウジングを位置付ける、導管を備える、手乾燥システム。
条項２
前記ブロワハウジングに連結された防音材を更に備える、条項１に記載の手乾燥システム。
条項３
前記空気室内に配置された音響減衰バリアを更に備える、条項１又は２に記載の手乾燥システム。
条項４
前記導管内に配置された少なくとも１つの音響減衰バリアを更に備える、条項１から３のいずれか一項に記載の手乾燥システム。
条項５
前記ブロワハウジング又は前記導管の一方又は両方の範囲内に配置された紫外線（ＵＶ）光アセンブリであって、前記気流が前記空気出口を通過する前に、消毒用ＵＶ光を用いて前記気流を消毒するように構成された、ＵＶ光アセンブリを更に備える、条項１から４のいずれか一項に記載の手乾燥システム。
条項６
前記ＵＶ光アセンブリが、前記導管の前記第２の端部の近くに位置決めされている、条項５に記載の手乾燥システム。
条項７
前記導管内に配置された加熱コイルであって、前記気流が前記空気出口を通過する前に前記気流を加熱するように構成された、加熱コイルを更に備える、条項１から６のいずれか一項に記載の手乾燥システム。
条項８
前記加熱コイルが、前記導管の前記第２の端部の近くに位置決めされている、条項７に記載の手乾燥システム。
条項９
起動区域内の手の存在を検出し存在信号を出力するように構成された、起動センサを更に備え、前記起動センサが前記起動区域内の前記手の前記存在を検出したときに、前記ブロワが起動されるように構成されている、条項１から８のいずれか一項に記載の手乾燥システム。
条項１０
前記ブロワと通信し、且つ、前記ブロワの動作を制御するように構成された、ドライヤー制御ユニットを更に備える、条項１から９のいずれか一項に記載の手乾燥システム。
条項１１
洗面所のための手乾燥方法であって、空気出口を有する排気口を前記洗面所に固定すること、導管の第１の端部をブロワハウジングの空気室に流体結合すること、前記ブロワハウジングに防音材を連結すること、前記空気室内に少なくとも１つの第１の音響減衰バリアを配置すること、前記導管内に少なくとも１つの第２の音響減衰バリアを配置すること、前記導管の第２の端部を前記排気口の前記空気出口に流体結合すること、前記流体結合することによって前記洗面所から遠隔に前記ブロワハウジングを位置付けること、及びブロワを用いて前記ブロワハウジングの前記空気室内で気流を生成することを含む、手乾燥方法。
条項１２
前記ブロワの磁気モータにプロペラを磁気的に連結することを更に含む、条項１１に記載の手乾燥方法。
条項１３
前記導管内に紫外線（ＵＶ）光アセンブリを配置すること、前記気流が前記空気出口を通過する前に、消毒用ＵＶ光を前記気流の中へ放射すること、及び前記放射することによって前記気流を消毒することを更に含む、条項１１又は１２に記載の手乾燥方法。
条項１４
前記導管内に前記ＵＶ光アセンブリを配置することが、前記導管の前記第２の端部の近くに前記ＵＶ光アセンブリを位置決めすることを含む、条項１３に記載の手乾燥方法。
条項１５
前記導管内に加熱コイルを配置すること、及び前記加熱コイルを使用して、前記気流が前記空気出口を通過する前に、前記気流を加熱することを更に含む、条項１１から１４のいずれか一項に記載の手乾燥方法。
条項１６
前記導管内に前記加熱コイルを配置することが、前記導管の前記第２の端部の近くに前記加熱コイルを位置決めすることを含む、条項１５に記載の手乾燥方法。
条項１７
ドライヤー制御ユニットを前記ブロワと動作可能に接続すること、及び前記ドライヤー制御ユニットを使用して、前記ブロワの動作を制御することを更に含む、条項１１から１６のいずれか一項に記載の手乾燥方法。
条項１８
内部客室と、前記内部客室内の洗面所であって、内部空間を画定する、洗面所と、前記洗面所のための手乾燥システムとを備える、輸送体であって、前記手乾燥システムが、空気室内で気流を生成するように構成されたブロワを含むブロワハウジングであって、前記ブロワが、磁気モータ及び前記磁気モータと磁気的に連結されたプロペラを含む、ブロワハウジング、前記洗面所に固定された排気口であって、前記洗面所の前記内部空間に流体連通した空気出口を画定する、排気口、前記空気室に流体連通した第１の端部と前記空気出口に流体連通した第２の端部を有する導管であって、前記洗面所の前記内部空間から遠隔に前記ブロワハウジングを位置付ける、導管、前記ブロワハウジングに連結された防音材、前記空気室内に配置された少なくとも１つの第１の音響減衰バリア、前記導管内に配置された少なくとも１つの第２の音響減衰バリアを備え、前記防音材、前記少なくとも１つの第１の音響減衰バリア、及び前記少なくとも１つの第２の音響減衰バリアが、前記ブロワによって生成された騒音を低減させ、前記手乾燥システムが、更に、前記導管内に配置された加熱コイルであって、前記気流が前記空気出口を通過して前記洗面所の前記内部空間の中へ入る前に前記気流を加熱するように構成され、前記導管の前記第２の端部の近くに位置決めされた、加熱コイル、起動区域内の手の存在を検出し存在信号を出力するように構成された起動センサであって、前記起動センサが前記起動区域内の前記手の前記存在を検出したときに、前記ブロワが起動されるように構成された、起動センサ、並びに前記ブロワ、前記加熱コイル、及び前記起動センサと通信するドライヤー制御ユニットであって、前記手乾燥システムの動作を制御するように構成された、ドライヤー制御ユニットを備える、輸送体。
条項１９
前記手乾燥システムが、前記ブロワハウジング又は前記導管の一方又は両方の範囲内に配置された紫外線（ＵＶ）光アセンブリであって、前記気流が前記空気出口を通過して前記洗面所の前記内部空間の中へ入る前に、消毒用ＵＶ光を用いて前記気流を消毒するように構成された、ＵＶ光アセンブリを更に備える、条項１８に記載の輸送体。
条項２０
前記ＵＶ光アセンブリが、前記導管の前記第２の端部の近くに位置決めされている、条項１９に記載の輸送体。
【００７３】
上記の説明は、限定ではなく例示を意図するものであることを、理解されたい。例えば、上述の実施例（及び／又はそれらの態様）は、互いに組み合わせて使用され得る。加えて、本開示の様々な実施例の範囲から逸脱することなく、特定の状況又は材料に適応させるために、様々な実施例の教示に多数の改変を加え得る。本明細書に記載の材料の形状寸法及びタイプは、本開示の様々な実施例のパラメータを規定することを意図しており、これらの実施例は限定的なものではなく例示的な実施例である。本発明を精査することにより、当業者には他の多くの実施例が明らかであろう。本開示の様々な実施例の範囲は、添付の特許請求の範囲、並びに、かかる特許請求の範囲が認められる均等物の全範囲を参照して、決定されるべきである。添付の特許請求の範囲において、「含む（ｉｎｃｌｕｄｉｎｇ）」及び「そこにおいて（ｉｎ  ｗｈｉｃｈ）という用語は、それぞれ、「備える（ｃｏｍｐｒｉｓｉｎｇ）」及び「そこで（ｗｈｅｒｅｉｎ）」という用語の、明白な同義語として使用される。また、「第１」、「第２」、及び「第３」等の用語は単に符号として使用され、それらの対象物に数的要件を課すことを意図するものではない。更に、以下の特許請求の範囲の限定は、ミーンズ・プラス・ファンクション書式で記述されておらず、かかる特許請求の範囲の限定が、更なる構造のない機能の記述が後続する「のための手段（ｍｅａｎｓ  ｆｏｒ）」という言い回しを明示的に使用しない限り、米国特許法第１１２条、段落（ｆ）、に基づいて解釈されることを意図するものではない。
【００７４】
ここに記載した説明では、ベストモードを含む本開示の様々な実施例を開示し、且つ当業者が任意のデバイス又はシステムの作成及び使用、並びに組込まれた任意の方法の実行を含め、本開示の様々な実施例を実施することを可能にするために実施例を使用している。本開示の様々な実施例の特許性の範囲は、特許請求の範囲によって画定され、当業者が想起する他の実施例を含み得る。かかる他の実施例は、実施例が特許請求の範囲の文言と相違しない構造要素を有する場合、又は、実施例が、特許請求の範囲の文言とごくわずかな相違しかない同等の構造要素を含む場合、特許請求の範囲内であることが意図される。
【図１】
2018079302.tif 000003
【図２】
2018079302.tif 000004
【図３】
2018079302.tif 000005
【図４】
2018079302.tif 000006
【図５】
2018079302.tif 000007
【図６】
2018079302.tif 000008
【図７】
2018079302.tif 000009
【図８】
2018079302.tif 000010
【外国語明細書】
2018079302000001.pdf
2018079302000002.pdf
2018079302000003.pdf
2018079302000004.pdf